(57)【要約】【課題】簡単な構成で、使用者に湯の出湯までの時間を報知可能な給湯システムを提供すること。【解決手段】給湯機３５からの出湯を、出湯配管４７を通して給湯先から出湯させる給湯システムであって、給湯機３５は、給湯先に設置され、給湯機３５の動作に必要な情報を入力するための操作部４６と、給湯機３５の動作状態を表示する表示部６０と、を有するリモコン４４と、リモコン４４で操作部４６から入力された出湯目標温度となるように、出湯の温度を制御する出湯温度制御部３６と、操作部４６から入力された、給湯機３５から給湯先までの出湯配管４７の配管長を用いて、給湯先から給湯が開始されてから出湯目標温度の湯が給湯先で出湯されるまでの所要時間を演算し所要時間を表示部６０に表示する、所要時間推定部３６と、を備えた。【選択図】図３
2017003206.tif 000002
【特許請求の範囲】
【請求項１】
給湯機からの出湯を、出湯配管を通して給湯先から出湯させる給湯システムであって、
当該給湯機は、
前記給湯先から視認できる場所に設置され、該給湯機の動作に必要な情報を入力するための操作部と、該給湯機の動作状態を表示する表示部と、を有するリモコンと、
前記リモコンで前記操作部から入力された出湯目標温度となるように、前記出湯の温度を制御する出湯温度制御部と、
前記操作部から入力された、前記給湯機から前記給湯先までの前記出湯配管の配管長を用いて、前記給湯先から給湯が開始されてから前記出湯目標温度の湯が前記給湯先で出湯されるまでの所要時間を演算し当該所要時間を前記表示部に表示する、所要時間推定部と、
を、備えたことを特徴とする給湯システム。
【請求項２】
前記所要時間推定部は、
前記操作部から入力された、前記出湯配管の配管長の値が第一の値のときの前記所要時
間を第一の所要時間として前記表示部に表示し、
前記第一の値よりも大きい第二の値を前記操作部に入力された場合の前記所要時間を、前記第一の所要時間よりも長い第二の所要時間として前記表示部に表示すること、
を特徴とする、請求項１に記載の給湯システム。
【請求項３】
前記所要時間推定部は、
前記操作部から入力された、前記出湯目標温度の値が第三の値のときの前記所要時間を第三の所要時間として前記表示部に表示し、
前記第三の値よりも大きい第四の値を前記操作部に入力された場合の前記所要時間を、前記第三の所要時間よりも長い第四の所要時間として前記表示部に表示すること、
を特徴とする、請求項１または２に記載の給湯システム。
【請求項４】
前記給湯機は、外気温度を検出する外気温度センサを備え、
前記所要時間推定部は、
前記外気温度センサで検出された外気温度の値が第五の値のときの前記所要時間を第五の所要時間として前記表示部に表示し、
前記第五の値よりも小さい第六の値が前記外気温度センサで検出された場合の前記所要時間を、前記第五の所要時間よりも長い第六の所要時間として前記表示部に表示すること、
を特徴とする、請求項１から３のいずれか１つに記載の給湯システム。
【請求項５】
前記給湯機は、前記出湯先からの出湯が終了してから次回の出湯が開始されるまでの経過時間をカウントする経過時間カウント手段を備え、
前記所要時間推定部は、
前記経過時間カウント手段でカウントした経過時間の値が第七の値のときの前記所要時間を第七の所要時間として前記表示部に表示し、
前記第七の値よりも小さい第八の値が前記経過時間カウント手段でカウントされた場合の前記所要時間を、前記第七の所要時間よりも短い第八の所要時間として前記表示部に表示すること、
を特徴とする、請求項１から４のいずれか１つに記載の給湯システム。
【請求項６】
前記給湯機は、前記出湯先への出湯流量を検出する出湯流量検出手段を備え、
前記所要時間推定部は、
前記操作部から入力された前記配管長に応じて前記制御部が設定する出湯流量の値が第九の値のときの前記所要時間を第九の所要時間として前記表示部に表示し、
前記第九の値よりも小さい第十の値が前記出湯流量検出手段で検出された場合の前記所要時間を、前記第九の所要時間よりも長い第十の所要時間として前記表示部に表示すること、
を特徴とする、請求項１から５のいずれか１つに記載の給湯システム。
【請求項７】
前記所要時間推定部は、
前記所要時間を、前記給湯先から給湯が開始されたときに前記表示部に表示を行うとともに、前記給湯が継続している間は、前記表示部での前記所要時間をカウントダウンして表示すること、
を特徴とする、請求項１から６のいずれか１つに記載の給湯システム。
【発明の詳細な説明】
【技術分野】
【０００１】
本発明は、給湯システムに関する。
【背景技術】
【０００２】
ヒートポンプなどの加熱手段により加熱された湯を貯湯タンクに貯え、貯湯タンクから取り出した湯を用いて、浴槽やシャワー、台所や洗面所の蛇口などの給湯先に給湯する貯湯式給湯機を用いた給湯システムが広く用いられている。
【０００３】
特許文献１には、給湯配管の前後２か所に温度センサを設け、２つの温度センサを所定の温度、流速の温水が通過する時間を計測し、その時間をもとに高温出湯時にカランから湯が出る時間を推定し、ユーザに高温の湯が出ることを報知する構成が開示されている。
【先行技術文献】
【特許文献】
【０００４】
【特許文献１】特開２００３−５００５２号公報
【発明の概要】
【発明が解決しようとする課題】
【０００５】
しかしながら、特許文献１の構成では、給湯配管の前後２か所に温度センサを設けることが必要となるため、給湯機側と反対側となる出湯先側に温度センサを設置し、さらに温度センサの検出値を給湯機側に取り込む構成が必要となり、システム全体での高コスト化、複雑化の課題がある。
【０００６】
本発明は上記の課題を解決するためになされたもので、簡単な構成で、使用者に湯の出湯までの時間を報知可能な給湯システムを提供することを目的とする。
【課題を解決するための手段】
【０００７】
給湯機からの出湯を、出湯配管を通して給湯先から出湯させる給湯システムであって、給湯機は、給湯先から視認できる場所に設置され、給湯機の動作に必要な情報を入力するための操作部と、給湯機の動作状態を表示する表示部と、を有するリモコンと、リモコンで操作部から入力された出湯目標温度となるように、出湯の温度を制御する出湯温度制御部と、操作部から入力された、給湯機から給湯先までの出湯配管の配管長を用いて、給湯先から給湯が開始されてから出湯目標温度の湯が給湯先で出湯されるまでの所要時間を、表示部に表示する所要時間推定部とを、備えるものである。
【発明の効果】
【０００８】
本発明によれば、簡単な構成で、使用者に湯の出湯までの時間を報知可能な給湯システムを提供することができる。
【図面の簡単な説明】
【０００９】
【図１】本発明の実施の形態１における給湯システムの構成図である。
【図２】本発明の実施の形態１におけるデータテーブルの一例である。
【図３】本発明の実施の形態１における動作のフローチャートである。
【図４】本発明の実施の形態１における動作のフローチャートである。
【図５】本発明の実施の形態１における動作のフローチャートである。
【図６】本発明の実施の形態１における動作のフローチャートである。
【図７】本発明の実施の形態２における動作のフローチャートである。
【発明を実施するための形態】
【００１０】
以下、図面を参照して本発明の実施の形態について説明する。なお、各図において共通する要素には、同一の符号を付して、重複する説明を省略する。
【００１１】
実施の形態１．
図１は、本発明の実施の形態１の給湯システムの構成図である。貯湯式給湯機３５は、タンクユニット３３と、ヒートポンプサイクルを利用するＨＰユニット７と、運転動作指令や設定値の変更操作をするリモコン４４とを備えている。ＨＰユニット７とタンクユニット３３とは、ＨＰ往き配管１４とＨＰ戻り配管１５と図示しない電気配線とを介して接続されている。タンクユニット３３には、制御部３６が内蔵されている。タンクユニット３３およびＨＰユニット７が備える各種弁類、ポンプ類等の作動は、これらと電気的に接続された制御部３６により制御される。制御部３６とリモコン４４とは、相互通信可能に接続されている。リモコン４４には、貯湯式給湯機３５の動作状態等の情報を表示する表示部６０、貯湯式給湯機３５の動作に必要な情報や、使用者が貯湯式給湯機３５の出湯目標温度である設定温度の入力やそのほかの操作をするための操作指示を入力する操作部４６、図示しないが、貯湯式給湯機３５の動作状態等の情報や使用者による操作部４６の操作に対応して音声や報知音を発するスピーカ、マイク等が搭載されている。この操作部４６から、後述する蛇口５０と貯湯式給湯機３５の給湯栓３４との間をつなぐ出湯配管４７の長さである配管長Ｌ（ｍ）を、使用者が入力することができる。なお、リモコン４４は一般的に、後述する給湯先である蛇口５０から視認できる場所に設置され、当該蛇口５０から出湯させる湯水の温度を、当該リモコン４４の操作部４６により設定して利用される。
【００１２】
ＨＰユニット７は、タンクユニット３３が備える貯湯タンク８から導かれた低温水を加熱するための加熱手段として機能する。ＨＰユニット７は、圧縮機１、水冷媒熱交換器３、膨張弁４、空気熱交換器６を冷媒配管５にて環状に接続し、ヒートポンプサイクルを構成している。水冷媒熱交換器３は、冷媒配管５を流れる冷媒とタンクユニット３３から導かれた低温水との間で熱交換を行うためのものである。また、ＨＰユニット７は外気温度を検出する外気温センサ７０を備えており、制御部３６が外気温度に応じて圧縮機１や膨張弁４などを制御して加熱手段としての動作を制御するとともに、本発明に係る所要時間Ｔの補正処理にも当該外気温度の検出値を利用する。
【００１３】
タンクユニット３３には、以下の各種部品や配管などが内蔵されている。貯湯タンク８は、湯水を貯留するためのものである。貯湯タンク８の下部に設けられた水導入口８ａには、第３給水配管９ｃが接続されている。水道等の水源から供給される水は、減圧弁３１で所定圧力に調圧された上で、第３給水配管９ｃを通って貯湯タンク８内に流入する。貯湯タンク８の上部に設けられた温水導入出口８ｄには、貯湯タンク８内に貯留された湯を貯湯式給湯機３５の外部へ供給するための給湯配管２１と、送湯配管１３とが接続されている。なお、貯湯タンク８には、ＨＰユニット７を用いて加熱された高温湯が温水導入出口８ｄから流入するとともに、第３給水配管９ｃからの低温水が水導入口８ａから流入することにより、上下部で温度差が生じるように湯水が貯留される。また、貯湯タンク８の表面には、複数の貯湯温度センサ４２，４３が高さを変えて取り付けられている。これら貯湯温度センサ４２，４３で貯湯タンク８内の湯水の温度分布を検出することにより、貯湯タンク８内の残湯量が把握され、ＨＰユニット７による貯湯タンク８内の湯水の沸上運転の開始、停止などが制御される。
【００１４】
タンクユニット３３内には、熱源ポンプ１２およびふろ用熱交換器２０が内蔵されている。熱源ポンプ１２は、タンクユニット３３内の後述する各種配管に湯水を循環させるためのポンプであり、ＨＰ往き配管１４上に設けられている。ふろ用熱交換器２０は、貯湯タンク８やＨＰユニット７から供給される高温湯を利用して、２次側の加熱対象水（浴槽水や暖房用水など）を加熱するための熱交換器である。本実施の形態では、ふろ用熱交換器２０の２次側の構成として、浴槽３０内の湯水を循環させるふろ往き配管２７とふろ戻り配管２８を例示し説明する。ふろ用熱交換器２０は、ふろ往き配管２７とふろ戻り配管２８の途中に設置されている。また、ふろ往き配管２７とふろ戻り配管２８の途中には、浴槽水を循環させるためのふろ循環ポンプ２９と、浴槽３０から出た浴槽水の温度を検出するためのふろ戻り温度センサ３８と、ふろ用熱交換器２０から出た熱交換後の湯の温度を検出するためのふろ往き温度センサ３７とが設置されている。
【００１５】
三方弁１１は、湯水が流入するａ、ｂポートと、湯水が流出するｃポートとを有する流路切替手段である。四方弁１８は、湯水が流入するｂ、ｃポートと、湯水が流出するａ、ｄポートとを有する流路切替手段であり、４つの経路、ａ−ｂ、ａ−ｃ、ｂ−ｄ、ｃ−ｄの間で流路切替可能に構成されている。また、タンクユニット３３は、水導出口配管１０、温水導入配管２０ａ、第１バイパス配管１６、温水導出配管２０ｂ、および第２バイパス配管１７を有している。水導出口配管１０は、貯湯タンク８の下部に設けられた水導出口８ｂと三方弁１１のａポートとを接続する。ＨＰ往き配管１４は、三方弁１１のｃポートとＨＰユニット７の入口側とを接続する。ＨＰ戻り配管１５は、ＨＰユニット７の出口側と四方弁１８のｃポートとを接続する。送湯配管１３は、四方弁１８のｄポートと、貯湯タンク８上部の温水導入出口８ｄとを接続する。第１バイパス配管１６は、四方弁１８のａポートと、貯湯タンク８の中央部から下部の間に設けられた温水導入口８ｃとを接続する。温水導入配管２０ａは、送湯配管１３の途中から分岐し、ふろ用熱交換器２０の１次側入口に接続される。温水導出配管２０ｂは、ふろ用熱交換器２０の１次側出口と三方弁１１のｂポートとを接続する。第２バイパス配管１７は、ＨＰ往き配管１４における熱源ポンプ１２とＨＰユニット７の入口側との間から分岐し、四方弁１８のｂポートに接続される。
【００１６】
更に、タンクユニット３３は、第１給水配管９ａ、第２給水配管９ｂ、給湯用混合弁２２、ふろ用混合弁２３、第１給湯配管２４、および第２給湯配管２５を有している。第１給水配管９ａの一端は水道等の水源に接続され、第１給水配管９ａの他端には減圧弁３１を介して第２給水配管９ｂおよび第３給水配管９ｃが接続され、これらによって給水管路９が構成されている。第２給水配管９ｂは、途中から分岐してそれぞれ給湯用混合弁２２とふろ用混合弁２３とに接続されている。また、給湯配管２１は、途中から分岐してそれぞれ給湯用混合弁２２およびふろ用混合弁２３に接続されている。第２給湯配管２５の途中には、第２給湯配管２５を開閉するふろ用電磁弁２６と、第２給湯配管２５を通る湯の流量を検出するふろ用流量センサ４５とが設けられている。
【００１７】
給湯用混合弁２２およびふろ用混合弁２３は、給湯配管２１から供給される高温湯と、第２給水配管９ｂから供給される低温水との流量比を調整することにより、使用者がリモコン４４にて設定した設定温度の湯を生成し、第１給湯配管２４および第２給湯配管２５にそれぞれ流入させる。給湯用混合弁２２で温度調整された湯は、第１給湯配管２４から給湯栓３４、さらに給湯栓３４と蛇口５０とをつなぐ出湯配管４７を経由して、使用者が使用するシャワーやカラン等の給湯先である蛇口５０に供給される。さらに、第１給湯配管２４には給湯用流量センサ５１が設けられており、第１給湯配管２４を流れる湯水の流量を検出し、制御部３６で把握可能となっている。一方、ふろ用混合弁２３で設定温度に調整された湯は、第２給湯配管２５からふろ用電磁弁２６、ふろ用流量センサ４５、ふろ往き配管２７、ふろ戻り配管２８を経て浴槽３０に供給される。
【００１８】
三方弁１１は、水導出口配管１０とＨＰ往き配管１４とが連通する形態と、温水導出配管２０ｂとＨＰ往き配管１４とが連通する形態、の２つの流路形態で、タンクユニット３３内の湯水の流路を切り替えて使用する。四方弁１８は、ＨＰ戻り配管１５と送湯配管１３とが連通する形態、ＨＰ戻り配管１５と第１バイパス配管１６とが連通する形態、第１バイパス配管１６と第２バイパス配管１７とが連通する形態、送湯配管１３と第２バイパス配管１７とが連通する形態、の４つの流路形態で、タンクユニット３３内の湯水の流路を切り替えて使用する。
【００１９】
制御部３６は、内蔵する記憶部（図示せず）に図２に示すようなデータテーブルを記憶している。図２に示すデータテーブルは、貯湯式給湯機３５の製造時にあらかじめ当該記憶部に記憶させたものである。図２に示すデータテーブルは、貯湯式給湯機３５から給湯先である蛇口５０までの出湯配管４７の配管長に対する、貯湯式給湯機３５からの出湯流量の想定値を示すもので、住宅における一般的な給湯用の配管である１０Ａサイズの配管で出湯配管４７が構成されているという前提で設定されている。配管長が長くなればなるほど配管での圧力損失が増大するため、出湯流量は減少する。本発明では、リモコン４４の操作部４６から使用者によって入力された配管長Ｌ（ｍ）に対し、制御部３６が図２のデータテーブルを利用して、貯湯式給湯機３５からの出湯流量の想定値を決定する。例えば、入力された配管長Ｌが１２（ｍ）だった場合、出湯流量の想定値は８リットル／分となり、入力された配管長Ｌが２４（ｍ）だった場合、出湯流量の想定値は６リットル／分となる。なお、出湯流量の配管長に対する想定値の設定は、本例以外にも、例えば配管長を変数とした数式により計算するようにしてもよい。また、記憶部は上記データテーブルと同様、貯湯式給湯機３５の製造時に、前述の１０Ａサイズの配管の単位長さあたりの容量Ｑ０を記憶している。この容量Ｑ０は例えば０．０８（リットル／ｍ）である。
【００２０】
また制御部３６は、以下のようにして蛇口５０を開いてから設定温度の湯が出湯され始めるまでの所要時間を、内蔵する演算部(図示せず)で演算し、リモコン４４の表示部６０に表示する。まず、使用者によって入力された配管長Ｌから、記憶部に記憶された図２のデータテーブルにより出湯流量の想定値を決定する。続いて、配管長Ｌと容量Ｑ０とから、貯湯式給湯機３５から蛇口５０までの間の出湯配管４７の容積Ｑ１を演算する。さらに、容積Ｑ１を先に決定した出湯流量の想定値で除すことで、貯湯式給湯機３５から出湯した設定温度の湯が出湯流量の想定値で出湯した場合に配管長Ｌだけ離れた蛇口５０で出湯するまでに要する時間である所要時間Ｔが算出される。
【００２１】
次に、動作について説明する。本実施の形態では、蛇口５０を開いてから、設定温度の湯が出湯され始めるまでの所要時間をリモコンに表示する。図３は、蛇口５０を開く操作を行ったときに、設定温度の湯が出湯され始めるまでの所要時間をリモコンに表示するために、制御部３６により実行されるフローチャートである。なお、このフローは繰り返し実行される。
【００２２】
ステップＳ１では、リモコン４４から入力された配管長Ｌを用いて、蛇口５０からの出湯流量の想定値を図２のデータテーブルから決定するとともに、出湯配管４７の容積Ｑ１を演算する。さらに、決定した出湯流量の想定値と容積Ｑ１から、入力された配管長Ｌでの蛇口５０から出湯された場合の設定温度の湯が出湯されるまでの所要時間Ｔを演算する。以上でステップＳ１での動作を終了し、次の所要時間Ｔの補正処理の工程を経て、ステップＳ２に進む。なお、この所要時間Ｔの補正処理の工程については複数のケースがあるため後述する。以下の説明ではまず、所要時間Ｔの補正が無かった場合について説明する。ステップＳ１で例えば、入力された配管長Ｌが１６（ｍ）であった場合、図２のデータテーブルから蛇口５０からの出湯流量の想定値は８リットル／分と決定される。さらに、容積Ｑ１は１６（ｍ）に容量Ｑ０を掛けて１．２８リットルと算出される。この１．２８リットルを出湯流量の想定値で除して、所要時間Ｔは９．６秒と算出される。
【００２３】
ステップＳ２では、蛇口５０からの出湯が開始されたかどうかを、給湯用流量センサ５１で水流を検知するかどうかにより監視し、水流が検知されない場合は、本フローを終了する。一方で、水流を検知した場合は出湯が開始されたと判断し、ステップＳ３に進む。
【００２４】
ステップＳ３では、リモコン４４の表示部６０に所要時間Ｔを表示する。このとき、リモコン４４の表示部６０を見ている使用者にとって小数点以下の時間は大きな意味を持たないため、小数点以下の数値を切り上げて表示する。例えば、所要時間Ｔが９．６秒と算出された場合は、１０秒と表示部６０に表示する。さらにステップＳ３では、給湯用流量センサ５１で水流を検出し始めてからの経過時間をＴ１（秒）としてカウントを開始する。以上の動作のあとステップＳ４に移行する。
【００２５】
ステップＳ４では、リモコン４４の表示部６０の所要時間の表示を、Ｔ´（＝Ｔ−Ｔ１）に更新して、ステップＳ５に移行する。これにより、蛇口５０から出湯が開始された時の所要時間の表示が時間の経過とともにカウントダウンされるので、使用者にとってあとどのくらいで蛇口５０から設定温度の湯が出湯されるのかが分かりやすくなる。
【００２６】
ステップＳ５では、都度更新される所要時間Ｔ´がゼロになったかどうかを監視し、ゼロになっていない場合は、ステップＳ２に戻りフローを継続する。一方でゼロになったら、ステップＳ６に進む。ステップＳ６では、設定温度の湯が蛇口５０から出湯されたので、リモコン４４の表示部６０での表示の目的が達成できたので表示を終了し本フローを終了する。
【００２７】
以上、本実施の形態１の構成および動作により、蛇口５０を開く操作を行ったときに、設定温度の湯が出湯され始めるまでの所要時間をリモコンに表示することができる。このため、給湯機側と反対側となる出湯先側に温度センサを設置したり、その温度センサの検出値を給湯機側に取り込む構成を必要とすることなく、簡単な構成で、使用者に設定温度の湯の出湯までの時間を報知可能な給湯システムを提供することが可能となる。
【００２８】
なお前述の例では、配管長Ｌが１６（ｍ）のとき、所要時間Ｔが１０秒と表示する場合について具体的に述べたが、例えば配管長Ｌが２５（ｍ）の場合は、図２のデータテーブルから蛇口５０からの出湯流量の想定値は６リットル／分と決定される。さらに、容積Ｑ１は２５（ｍ）に容量Ｑ０を掛けて２．０リットルと算出される。この２．０リットルを出湯流量の想定値で除して、所要時間Ｔは２０秒と算出され、リモコン４４の表示部６０に表示される。このように、配管長Ｌが長くなると、それに応じて所要時間Ｔの表示の値が大きくなる。
【００２９】
次に、図３の所要時間Ｔの補正処理の工程の複数のケースについて順に説明する。図４は、所要時間Ｔの補正処理の工程の一例を示すフローチャートである。このフローチャートは、図３でのステップＳ１とステップＳ２との間で実行されることで、所要時間Ｔの補正を行う。
【００３０】
図４において、ステップＳ７では、リモコン４４の操作部４６に入力された出湯温度の目標値である設定温度が、あらかじめ設定された所定温度（例えば４０度：貯湯式給湯機３５の製造時に設定される）以上かどうかを制御部３６が判断し、４０度以上の場合には、ステップＳ８に進み、所要時間Ｔを増加させる補正を行う。この補正は例えば所要時間Ｔに１以上の数（例えば１．１）を掛けることで行ってもよいし、所定の値（例えば３秒）を加えることで行ってもよい。これにより補正された所要時間Ｔを新たな所要時間Ｔとして図３のステップＳ２に進む。一方で、設定温度が４０度未満の場合は補正処理を行わずにステップＳ２に進む。これは、設定温度が一般的に想定される外気温度に対し、大きな差がある場合は、貯湯式給湯機３５から出湯した最初の湯が蛇口５０に至るまでの出湯配管４７およびその周りの環境の温度と出湯温度との差が大きくなり、初期の出湯が冷やされることで温度が低下する分を加味したものである。
【００３１】
次に、図３の所要時間Ｔの補正処理の工程の２つめのケースについて説明する。図５は、所要時間Ｔの補正処理の工程の一例を示すフローチャートである。このフローチャートは、図３でのステップＳ１とステップＳ２との間で実行されることで、所要時間Ｔの補正を行う。
【００３２】
図５において、ステップＳ９では、外気温センサ７０で検出された外気温度が、あらかじめ設定された所定温度（例えば２０度：貯湯式給湯機３５の製造時に設定される）以下かどうかを制御部３６が判断し、２０度以下の場合には、ステップＳ１０に進み、所要時間Ｔを増加させる補正を行う。この補正は例えば所要時間Ｔに１以上の数（例えば１．１）を掛けることで行ってもよいし、所定の値（例えば３秒）を加えることで行ってもよい。これにより補正された所要時間Ｔを新たな所要時間Ｔとして図３のステップＳ２に進む。一方で、外気温度が２０度を超える場合は補正処理を行わずにステップＳ２に進む。これは、外気温度が低い場合は、貯湯式給湯機３５から出湯した最初の湯が蛇口５０に至るまでの出湯配管４７およびその周りの環境により冷やされることで温度が低下する分を加味したものである。
【００３３】
次に、図３の所要時間Ｔの補正処理の工程の３つめのケースについて説明する。図６は、所要時間Ｔの補正処理の工程の一例を示すフローチャートである。このフローチャートは、図３でのステップＳ１とステップＳ２との間で実行されることで、所要時間Ｔの補正を行う。このケースの場合、制御部３６は、直前の出湯終了を給湯用流量センサ５１の検出値から検出し、出湯が終了してからの経過時間をカウントしている状態となっている。
【００３４】
図６において、ステップＳ１１では、出湯が終了してからの経過時間が、あらかじめ設定された所定時間（例えば１０分：貯湯式給湯機３５の製造時に設定される）以下かどうかを制御部３６が判断し、１０分以下の場合には、ステップＳ１２に進み、所要時間Ｔを減少させる補正を行う。この補正は例えば所要時間Ｔに１未満の数（例えば０．９）を掛けることで行ってもよいし、所定の値（例えば２秒）を減ずることで行ってもよい。これにより補正された所要時間Ｔを新たな所要時間Ｔとして図３のステップＳ２に進む。一方で、経過時間が１０分を超える場合は補正処理を行わずにステップＳ２に進む。これは、前回の出湯が終了してからしばらくは、貯湯式給湯機３５から出湯した所定温度の湯が蛇口５０に至るまでの出湯配管４７に残存しており、その周りの環境により冷やされることなく残っていることで、その後の新たな出湯時には出湯温度の低下が抑制されることを加味したものである。
【００３５】
なお、図３の所要時間Ｔの補正処理の工程について上記のようにいくつかのケースを説明したが、これらは単独で実施してもよいし、任意の複数を組合せて実施してもよい。その場合、前述の効果に加えて、蛇口５０を開く操作を行ったときの設定温度の湯が出湯され始めるまでの所要時間のリモコンでの表示値を、より正確なものとすることができる。
【００３６】
実施の形態２．
次に、本発明の他の実施の形態について説明する。なお、構成については実施の形態１と同様であるので図１を参酌するとして説明を省略する。図７は、本発明の他の実施の形態の動作の一例を示すフローチャートである。このフローチャートは、実施の形態１の図３でのステップＳ２とステップＳ３との間に新たなステップＳ１３とステップＳ１４を加えたものである。従って、ステップＳ１からステップＳ６については実施の形態１と同様であるので説明を省略する。
【００３７】
図７において、ステップＳ２の条件が成立しステップＳ１３に移行すると、ステップＳ１３では、制御部３６は給湯用流量センサ５１での検出値が、図２のデータテーブルから選択された想定値（例えば、配管長Ｌが１６（ｍ）の場合８リットル／分）より小さいかどうかを制御部３６が判断し、想定値より小さい場合には、ステップＳ１４に進み、所要時間Ｔを増加させる補正を行う。この補正は例えば所要時間Ｔに１以上の数（例えば１．１）を掛けることで行ってもよいし、所定の値（例えば３秒）を加えることで行ってもよい。これにより補正された所要時間Ｔを新たな所要時間ＴとしてステップＳ３に進む。一方で、給湯流量センサ５１の検出値が想定値以上の場合は補正処理を行わずにステップＳ３に進む。これは、図２のデータテーブルの想定値は蛇口５０などの出湯先の器具が全開された場合を想定して設定されているものであるのに対し、実際に使用者が使用するとき、蛇口を絞って使うなどで流量が想定値よりも少ない場合には、貯湯式給湯機３５から出湯した湯が蛇口５０に至るまでの時間が実質的に長くなることを加味したものである。
【００３８】
なお、本実施の形態２の構成および動作は、単独で行ってもよいし、前述の所要時間Ｔの補正処理の工程についてのいくつかのケースを単独あるいは、任意の複数を組合せて、これと併せて実施してもよい。その場合、前述の効果に加えて、蛇口５０を開く操作を行ったときの設定温度の湯が出湯され始めるまでの所要時間のリモコンでの表示値を、より正確なものとすることができる。
【符号の説明】
【００３９】
１  圧縮機、３  水冷媒熱交換器、４  膨張弁、５  冷媒循環配管、６  空気熱交換器、
７  ＨＰユニット、８  貯湯タンク、８ａ  水導入口、８ｂ  水導出口、
８ｃ  温水導入口、８ｄ  温水導入出口、９  給水管路、  ９ａ  第１給水配管、
９ｂ  第２給水配管、９ｃ  第３給水配管、１０  水導出口配管、１１  三方弁、
１２  熱源ポンプ、１３  送湯配管、１４  ＨＰ往き配管、１５  ＨＰ戻り配管、
１６  第１バイパス配管、１７  第２バイパス配管、１８  四方弁、
２０  ふろ用熱交換器、２０ａ  温水導入配管、２０ｂ  温水導出配管、
２１  給湯配管、２２  給湯用混合弁、  ２３  ふろ用混合弁、２４  第１給湯配管、
２５  第２給湯配管、２６  ふろ用電磁弁、２７  ふろ往き配管、２８  ふろ戻り配管、
２９  ふろ循環ポンプ、３０  浴槽、３１  減圧弁、３３  タンクユニット、
３４  給湯栓、３５  貯湯式給湯機、３６  制御部、３７  ふろ往き温度センサ、
３８  ふろ戻り温度センサ、４２，４３  貯湯温度センサ、４４  リモコン、
４５  ふろ用流量センサ、４６  操作部、４７  出湯配管、５０  蛇口、
５１  給湯用流量センサ、６０  表示部、７０  外気温センサ
【図１】
2017003206.tif 000003
【図２】
2017003206.tif 000004
【図３】
2017003206.tif 000005
【図４】
2017003206.tif 000006
【図５】
2017003206.tif 000007
【図６】
2017003206.tif 000008
【図７】
2017003206.tif 000009